【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
スピーカと、
音量を設定することができるボリュームと、
遊技の進行を制御する主制御手段と、
該主制御手段からのコマンドに基づいて演出の進行を制御する演出制御手段と、
操作することにより前記演出に関与することができる演出操作部と、
を備える遊技機であって、
前記演出制御手段は、少なくとも、
前記ボリュームで設定される音量で演出に関する演出音の音量を調整する演出音音量調整制御手段と、
所定の条件が成立したときに前記演出操作部が操作されたことにより該操作に応じて前記演出音音量調整制御手段が調整した前記演出音の音量を変更する演出音音量変更制御手段と、
前記演出音音量調整制御手段が音量調整した前記演出音又は前記演出音音量変更制御手段が音量調整した前記演出音を前記スピーカから流す制御を実行する音出力実行制御手段と、
を含み、
前記演出音音量変更制御手段は、前記所定の条件が成立したときにおいて、前記演出音音量調整制御手段が調整した前記演出音の音量を大きくするように前記演出操作部が操作されたときには該操作に応じて当該演出音の音量を大きく変更する一方、前記演出音音量調整制御手段が調整した前記演出音の音量を小さくするように前記演出操作部が操作されたときには該操作に応じて当該演出音の音量を小さく変更することを特徴とする遊技機。
【手続補正２】
【補正対象書類名】明細書
【補正対象項目名】０００８
【補正方法】変更
【補正の内容】
【０００８】
（解決手段１）
スピーカと、音量を設定することができるボリュームと、遊技の進行を制御する主制御手段と、該主制御手段からのコマンドに基づいて演出の進行を制御する演出制御手段と、操作することにより前記演出に関与することができる演出操作部と、を備える遊技機であって、前記演出制御手段は、少なくとも、前記ボリュームで設定される音量で演出に関する演出音の音量を調整する演出音音量調整制御手段と、所定の条件が成立したときに前記演出操作部が操作されたことにより該操作に応じて前記演出音音量調整制御手段が調整した前記演出音の音量を変更する演出音音量変更制御手段と、前記演出音音量調整制御手段が音量調整した前記演出音又は前記演出音音量変更制御手段が音量調整した前記演出音を前記スピーカから流す制御を実行する音出力実行制御手段と、を含み、前記演出音音量変更制御手段は、前記所定の条件が成立したときにおいて、前記演出音音量調整制御手段が調整した前記演出音の音量を大きくするように前記演出操作部が操作されたときには該操作に応じて当該演出音の音量を大きく変更する一方、前記演出音音量調整制御手段が調整した前記演出音の音量を小さくするように前記演出操作部が操作されたときには該操作に応じて当該演出音の音量を小さく変更することを特徴とする遊技機。
【手続補正３】
【補正対象書類名】明細書
【補正対象項目名】０００９
【補正方法】変更
【補正の内容】
【０００９】
この遊技機では、スピーカ、ボリューム、主制御手段、演出制御手段、演出操作部を備えている。スピーカは、各種の音を流すことができ、ボリュームは、音量を設定することができ、主制御手段は、遊技の進行を制御し、演出制御手段は、主制御手段からのコマンドに基づいて演出の進行を制御し、演出操作部は、操作されることにより演出に関与することができるようになっている。
【手続補正４】
【補正対象書類名】明細書
【補正対象項目名】００１０
【補正方法】変更
【補正の内容】
【００１０】
演出制御手段は、少なくとも、演出音音量調整制御手段、演出音音量変更制御手段、音出力実行制御手段を含んでいる。演出音音量調整制御手段は、ボリュームで設定される音量で演出に関する演出音の音量を調整することができるものであり、演出音音量変更制御手段は、所定の条件が成立したときに演出操作部が操作されたことにより、その操作に応じて演出音音量調整制御手段が調整した演出音の音量を変更することができるものであり、音出力実行制御手段は、演出音音量調整制御手段が音量調整した演出音又は演出音音量変更制御手段が音量調整した演出音をスピーカから流す制御を実行することができるものである。
【手続補正５】
【補正対象書類名】明細書
【補正対象項目名】００１１
【補正方法】変更
【補正の内容】
【００１１】
演出音音量変更制御手段は、所定の条件が成立したときにおいて、演出音音量調整制御手段が調整した演出音の音量を大きくするように演出操作部が操作されたときには、その操作に応じて演出音の音量を大きく変更することができる一方、演出音音量調整制御手段が調整した演出音の音量を小さくするように演出操作部が操作されたときには、その操作に応じて演出音の音量を小さく変更することができるようになっている。
【手続補正６】
【補正対象書類名】明細書
【補正対象項目名】００１２
【補正方法】変更
【補正の内容】
【００１２】
このように、演出に関する演出音の音量はボリュームで設定される音量となるように演出音音量調整制御手段により音量調整されるようになっている。また、所定の条件が成立したときにおいて、演出音音量調整制御手段が調整した演出音の音量を大きくするように演出操作部が操作されたときには、その操作に応じて演出音音量変更制御手段により演出音の音量を大きく変更することができるようになっているし、演出音音量調整制御手段が調整した演出音の音量を小さくするように演出操作部が操作されたときには、その操作に応じて演出音音量変更制御手段により演出音の音量を小さく変更することができるようになっている。これにより、演出音音量調整制御手段がボリュームで設定される音量に応じて演出音の音量を調整している状態であっても、ボリュームを直接操作することなく、所定の条件が成立したときにおいて、演出操作部を操作することにより、その操作に応じて演出音音量変更制御手段により演出音の音量を変更することができるようになっている。換言すると、遊技者は、所定の条件が成立したときにおいて、演出操作部を操作することにより、その操作に応じて演出音の音量が演出音音量変更制御手段により強制的に変更されることによって、スピーカから流れる音楽や効果音の音量が小さくて聞き難く感じる場合にはその音量を大きくすることで心地よく遊技を楽しむことができるし、音量が大きくて耳障りに感じる場合にはその音量を小さくすることで不快を感じることなく心地よく遊技を楽しむことができる。したがって、心地よく遊技を楽しむことができる。
【手続補正７】
【補正対象書類名】明細書
【補正対象項目名】００１３
【補正方法】変更
【補正の内容】
【００１３】
本実施形態では、例えば、図２５の扉枠ベース本体１１０の前面で遊技窓１０１の下端左右両外側に取り付けられる一対のサイドスピーカ１３０、図２９の右サイド装飾ユニット２００に取り付けられる右上部スピーカ２２２、図３２の左サイド装飾ユニット２４０に取り付けられる左上部スピーカ２６２、及び図７８の基板ユニット８００におけるスピーカボックス８２０に取り付けられる下部スピーカ８２１がスピーカに相当し、図１００の音量調整ボリューム４１４０ａがボリュームに相当し、図９７の主制御基板４１００が主制御手段に相当し、図１１７及び図１１８の各種コマンドがコマンドに相当し、図１００の周辺制御基板４１４０が演出制御手段に相当し、図２の操作ユニット４００が演出操作部に相当し、図１のパチンコ遊技機１が遊技機に相当し、図１４２の周辺制御部電源投入時処理におけるステップＳ１０３２の音データ作成処理が演出音音量調整制御手段及び演出音音量変更制御手段に相当し、大当り遊技状態が発生している期間が所定の条件が成立したときに相当し、図１４２の周辺制御部電源投入時処理におけるステップＳ１０１８の音データ出力処理が音出力実行制御手段に相当する。
【手続補正８】
【補正対象書類名】明細書
【補正対象項目名】０６２９
【補正方法】変更
【補正の内容】
【０６２９】
なお、本実施形態では、音量調整ボリューム４１４０ａのつまみ部を回動操作することにより音楽や効果音の音量を調節するようになっていることに加えて、図４３に示した、操作ユニット４００のダイヤル操作部４０１を操作することで大当り遊技状態が発生している期間（例えば、大当り遊技状態として１ラウンド〜１５ラウンドまでの計１５ラウンドが設定されている場合には、１ラウンド〜１５ラウンドまでの各ラウンドを消化している期間）内において演出音のサブボリューム値を調節することができるようになっている。本実施形態では、大当り遊技状態を実行中に音楽が本体枠３に設けたスピーカ８２１及び扉枠５に設けたスピーカ１３０，２２２，２６２から流れるようになっており、例えばドラム音がズンズン響いて不快に感じる遊技者は音量を小さく調節して大当り遊技状態を心地よく消化させることができ、また迫力ある音量で大当り遊技状態を消化したい遊技者は音量を大きく調節して大当り遊技状態を心地よく消化させることができるようになっている。大当り遊技状態において調節された演出音のサブボリューム値は、大当り遊技状態が消化されたのち、そのサブボリューム値が維持されて演出が進行するようになっている。演出音のサブボリューム値は、パチンコ遊技機１の電源投入後、客待ち状態となって液晶表示装置１９００によるデモンストレーションが行われている期間内において、デフォルト値（初期値）として、上述した、音量調整ボリューム４１４０ａのつまみ部が回動操作されて調節された基板ボリュームが設定されるようになっている。ここで、大当り遊技状態が発生している期間内において操作ユニット４００のダイヤル操作部４０１を操作することで音楽や効果音の音量を所望の音量に調節することができるプログラムについて簡単に説明する。このプログラムは、音量調整ボリューム４１４０ａのつまみ部の回転位置における抵抗値により分圧された電圧を、周辺制御Ａ／Ｄコンバータ４１５０ａｋがアナログ値からデジタル値に変換して、この変換した値に対して、操作ユニット４００のダイヤル操作部４０１の操作に応じて所定値を加算又は減算することによって、基板ボリュームの値を増やしたり、又は減らしたりすることができるようになっている。この調節された音量は、音源内蔵ＶＤＰ４１６０ａの内蔵音源における複数のトラックのうち、音楽や効果音等の演出音の音データが組み込まれたトラックに対して、サブボリューム値として設定更新されて演出音の音量の調節に反映されるものの、上述した報知音や告知音の音量に調節に反映されないようになっている。
【手続補正９】
【補正対象書類名】明細書
【補正対象項目名】１１７２
【補正方法】変更
【補正の内容】
【１１７２】
１…パチンコ遊技機（遊技機）、２…外枠、３…本体枠、４…遊技盤、５…扉枠、１３０…サイドスピーカ（スピーカ）、２２２…右上部スピーカ（スピーカ）、２６２…左上部スピーカ（スピーカ）、８２１…下部スピーカ（スピーカ）、４００…操作ユニット（演出操作部）、４０１…ダイヤル操作部（演出操作部）、４０５…押圧操作部、１１００…遊技領域、１９００…液晶表示装置、２１０１…上始動口、２１０２…下始動口、４１００…主制御基板（主制御手段）、４１００ａ…主制御ＭＰＵ、４１１０…払出制御基板、４１１０ｂ…停電監視回路、４１４０…周辺制御基板（演出制御手段）、４１４０ａ…音量調整ボリューム（ボリューム）、４１５０…周辺制御部、４１５０ｃ…周辺制御ＲＡＭ、４１６０…液晶及び音制御部、４１６０ａ…音源内蔵ＶＤＰ、４１７０…ランプ駆動基板、４１８０…モータ駆動基板。